(57)【要約】  【課題】  電動ルーバーのフラップの角度ずれを、スイング範囲の設定如何に関わらず自動的に是正できるようにした空調機器を提供する。  【解決手段】  除湿機１はハウジング１０に圧縮機２１、蒸発器２２、凝縮器２３を含む冷凍サイクルユニット２０を内蔵している。ハウジング１０の第１吹出口１１からは蒸発器２２を通過した冷風が吹き出す。第１吹出口１１に配置された電動ルーバー３０は、ステッピングモータ３１によってスイングせしめられるスイング軸３２と、スイング軸３２に固定されたフラップ３３と、フラップ３３のスイング限界を構成するストッパ手段３４、３５と、ステッピングモータ３１を制御する制御装置４０とを備え、制御装置４０は、フラップ３３のスイング範囲の設定如何に関わらず、スイング限界以上の角度設定のスイング動作を所定タイミングで実行する。【選択図】      図３
2006250381.tif 000002
【特許請求の範囲】
【請求項１】
吹出口に電動ルーバーを配置する空調機器において、
前記電動ルーバーは、ステッピングモータによってスイングせしめられるスイング軸と、このスイング軸に固定されたフラップと、このフラップのスイング限界を構成するストッパ手段と、前記ステッピングモータを制御する制御装置とを備え、
前記フラップのスイング角度を一定時間毎に調整することを特徴とする空調機器。
【請求項２】
吹出口に電動ルーバーを配置する空調機器において、
前記電動ルーバーは、ステッピングモータによってスイングせしめられるスイング軸と、このスイング軸に固定されたフラップと、このフラップのスイング限界を構成するストッパ手段と、前記ステッピングモータを制御する制御装置とを備え、
前記制御装置は、前記フラップのスイング範囲の設定如何に関わらず、前記スイング限界以上の角度設定のスイング動作を所定タイミングで実行することを特徴とする空調機器。
【請求項３】
前記スイング限界以上の角度設定のスイングが一定時間毎に行われることを特徴とする請求項１に記載の空調機器。
【発明の詳細な説明】
【技術分野】
【０００１】
本発明は電動ルーバーを備えた空調機器に関する。
【背景技術】
【０００２】
エアコンや除湿機などの空調機器では、吹出口に電動ルーバーを設け、風向を周期的に変化させるようにしたものが多い。そのような空調機器の例を特許文献１に見ることができる。
【特許文献１】特開２００４−１０１０５６号公報（第５頁−第１０頁、図１−図１０）
【発明の開示】
【発明が解決しようとする課題】
【０００３】
電動ルーバーはフラップをスイングさせて風向を変化させるのであるが、スイング中のフラップに手などが触れたりするとフラップの角度が狂い、風が設定通りの方向に行かなくなることがある。フラップは一方のスイング限界から他方のスイング限界の間の所定角度範囲でスイングするものであり、両方のスイング限界は物理的なストッパ手段で構成されている。フラップのスイング範囲が限界まで設定されていれば、スイング途中でフラップの角度がずれたとしてもスイングの最終段階でストッパ手段に当たることによりずれは是正される。しかしながらフラップのスイング範囲がスイング限界まで届かないときは、このような是正メカニズムが機能しないため、フラップの角度ずれがそのまま保存されることになる。
【０００４】
本発明は上記の点に鑑みなされたものであり、電動ルーバーのフラップの角度ずれを、スイング範囲の設定如何に関わらず自動的に是正できるようにした空調機器を提供することを目的とする。
【課題を解決するための手段】
【０００５】
（１）上記目的を達成するために本発明は、吹出口に電動ルーバーを配置する空調機器において、前記電動ルーバーは、ステッピングモータによってスイングせしめられるスイング軸と、このスイング軸に固定されたフラップと、このフラップのスイング限界を構成するストッパ手段と、前記ステッピングモータを制御する制御装置とを備え、前記フラップのスイング角度を一定時間毎に調整することを特徴としている。
【０００６】
この構成によると、フラップのスイング角度が一定時間毎に調整されるので、フラップの角度がずれたままで空調機器の運転が継続されるということがない。
【０００７】
（２）また本発明は、吹出口に電動ルーバーを配置する空調機器において、前記電動ルーバーは、ステッピングモータによってスイングせしめられるスイング軸と、このスイング軸に固定されたフラップと、このフラップのスイング限界を構成するストッパ手段と、前記ステッピングモータを制御する制御装置とを備え、前記フラップのスイング範囲の設定如何に関わらず、前記スイング限界以上の角度設定のスイング動作を所定タイミングで実行することを特徴としている。
【０００８】
この構成によると、フラップがストッパ手段に当たることのないようにスイング範囲が設定されていたとしても、その設定を無視してフラップがスイングし、ストッパ手段に当たることにより、フラップの角度ずれが自動的に是正される。
【０００９】
（３）また本発明は、上記構成の空調機器において、前記スイング限界以上の角度設定のスイングが一定時間毎に行われることを特徴としている。
【００１０】
この構成によると、一定時間毎にフラップの角度ずれ是正が行われるので、常に設定通りの方向に風を送ることができる。
【発明の効果】
【００１１】
本発明によると、フラップのスイング角度を一定時間毎に調整し、フラップの角度がずれたままで空調機器の運転が継続されるという事態を避けることができる。また本発明によると、フラップのスイング範囲の設定がどのようであれ、フラップとストッパ手段の接触が必ず生じ、フラップの角度ずれが生じていたとしてもそれは自動的に是正される。
【発明を実施するための最良の形態】
【００１２】
以下本発明の一実施形態を図１−図３に基づき説明する。図１−図３は空調機器の一例である除湿機の概略構成図で、それぞれ異なる動作状態を示すものである。
【００１３】
除湿機１は局所的に冷風を吹き付けるスポットエアコンとしても用いられるものであり、垂直方向に長い箱形のハウジング１０を有する。図において、右側がハウジング１０の正面、左側がハウジング１０の背面である。ハウジング１０の天面には第１吹出口１１が形成され、ハウジング１０の背面には第２吹出口１２、第１吸込口１３、及び第２吸込口１４が形成されている。第１吸込口１３及び第２吸込口１４にはフィルタが設けられている。
【００１４】
ハウジング１０は圧縮機２１、蒸発器２２、及び凝縮器２３を含む冷凍サイクルユニット２０を内蔵する。ハウジング１０の内部には、第１吸込口１３から第１吹出口１１までを結ぶ第１通路１５と、第２吸込口１４から第２吹出口１２までを結ぶ第２通路１６が形成されている。蒸発器２２は第１通路１５に配置され、凝縮器２３は第２通路１６に配置される。第１通路１５には蒸発器２２より下流の箇所に第１送風機２４が配置され、第２通路１６には凝縮器２３より下流の箇所に第２送風機２５と電動ダンパ２６が配置される。
【００１５】
蒸発器２２を通り抜ける風は蒸発器２２で温度と湿度を奪われ、乾燥した冷風となる。凝縮器２３を通り抜ける風は凝縮器２３から熱を与えられて温風となる。この温風を電動ダンパ２６は二通りの経路で送り出す。その１は図１に示すように最後まで第２通路１６を使って第２吹出口１２から送り出す経路であり、その２は第１通路１５に送り込んで蒸発器２２を通ってきた冷風と混ぜ合わせる経路である。
【００１６】
蒸発器２２の下にはドレンタンク２７が配置される。ドレンタンク２７は蒸発器２２から滴るドレンを受けるものであり、ハウジング１０の外に取り出して内部に溜まった水を捨てられるようになっている。
【００１７】
第１吹出口１１には電動ルーバー３０が配置される。電動ルーバー３０は、ステッピングモータ３１によってスイングせしめられるスイング軸３２と、スイング軸３２に固定されたフラップ３３と、フラップ３３のスイング限界を構成するストッパ手段３４、３５を備える。フラップ３３は湾曲した断面形状を備え、湾曲の凹側でスイング軸３２に連結している。ストッパ手段３４は第１吹出口１１の開口部の縁によって構成され、ストッパ手段３５はハウジング１０の内側面から張り出したリブによって構成される。
【００１８】
ハウジング１０の内部には電動ルーバー３０の制御及び除湿機１全体の制御を司る制御装置４０が配置されている。また図示しないが、ハウジング１０の正面又は天面には各種の操作キーや表示装置を備えた操作パネルが設けられる。
【００１９】
続いて除湿機１の動作を説明する。電源投入前は、電動ルーバー３０は図１に示す状態にある。すなわちフラップ３３の一端がストッパ手段３４に当たり、フラップ３３は第１吹出口１１をほぼ閉ざしている。前記図示しない操作パネルの中の「運転／停止」キーを押して運転を開始すると、ステッピングモータ３１がフラップ３３を反時計方向に回動させ、第１吹出口１１を開く。
【００２０】
圧縮機２１、第１送風機２４、及び第２送風機２５を冷房モードで運転すると、第１吸込口１３から吸い込まれた室内空気が蒸発器２２を通り抜けることにより冷風となって第１吹出口１１から吹き出され、第２吸込口１４から吸い込まれた室内空気が凝縮器２３を通り抜けることにより温風となって第２吹出口１２から吹き出される。
【００２１】
第１吹出口１１から吹き出される冷風は冷却対象の周囲に送られる。冷風の吹出角度はスイングするフラップ３３によって変化する。フラップ３３のスイング角度は、図２のように、ストッパ手段３４に当たるところからストッパ手段３５に当たるところまで、目一杯スイングする角度（θ１）とすることも可能であるし、図３のように、ストッパ手段３４にも当たらずストッパ手段３５にも当たらない角度（θ２）に設定することも可能である。フラップ３３のスイング角度の設定は、操作パネルで所定のキーを選択するか、あるいは数値を入力することにより行う。
【００２２】
フラップ３３のスイング角度をθ１に設定した場合、ステッピングモータ３１の回転角の設定はθ１以上とされる。すなわちフラップ３３は現実にはストッパ手段３４、３５に当たって止まるにもかかわらず、ステッピングモータ３１の回動範囲の設定上は、フラップ３３はスイング限界を超えるところまで回動されることになっている。これにより、フラップ３３の角度ずれは、フラップ３３がストッパ手段３４、３５のいずれかに当たって停止した後、ステッピングモータ３１がなおも回転し続けようとすることによって是正され、以後、外的要因により再びずれが発生するまで、フラップ３３は正しい角度を保ってスイングする。
【００２３】
フラップ３３のスイング角度をθ２に設定した場合であっても、ステッピングモータ３１はフラップ３５を、一定時間毎に角度θ１スイングさせる。この時、ステッピングモータ３１そのものはθ１を超えるところまで、すなわちスイング限界以上に回動制御される。これにより、フラップ３３の角度ずれは、フラップ３３がストッパ手段３４、３５に当たって停止した後、ステッピングモータ３１がなおも回転し続けようとすることによって是正され、それ以後、設定されたスイング角度θ２でのスイングを再開する。外的要因により再びずれが発生するまで、フラップ３３は正しい角度を保ってスイングする。
【００２４】
スイング限界以上の角度設定のスイングは一定時間毎に行われる。このため一定時間毎にフラップ３３の角度ずれ是正が行われることになり、常に設定通りのスイング角度で所定の方向に風を送ることができる。
【００２５】
圧縮機２１、第１送風機２４、及び第２送風機２５をドライモードで運転した場合は、電動ダンパ２６は第２送風機２５から送られてきた温風を第１通路１５に送り込み、蒸発器２２で水分を奪われた冷風と混ぜ合わせて乾燥した混合気を形成し、この乾燥した混合気が第１吹出口１１から吹き出される。ステッピングモータ３１は冷房モードのときと同様に制御される。
【００２６】
以上、本発明の実施形態につき説明したが、本発明の範囲はこれに限定されるものではなく、発明の主旨を逸脱しない範囲で種々の変更を加えて実施することができる。
【産業上の利用可能性】
【００２７】
本発明は電動ルーバーを備えたエアコン、除湿機、空気清浄機などの空調機器に広く利用可能である。
【図面の簡単な説明】
【００２８】
【図１】除湿機の概略構成図
【図２】異なる動作状態の除湿機の概略構成図
【図３】異なる動作状態の除湿機の概略構成図
【符号の説明】
【００２９】
１    除湿機
１０  ハウジング
１１  第１吹出口
１２  第２吹出口
１３  第１吸込口
１４  第２吸込口
１５  第１通路
１６  第２通路
２０  冷凍サイクルユニット
２１  圧縮機
２２  蒸発器
２３  凝縮器
２４  第１送風機
２５  第２送風機
２６  電動ダンパ
２７  ドレンタンク
３０  電動ルーバー
３１  ステッピングモータ
３２  スイング軸
３３  フラップ
３４、３５  ストッパ手段
４０  制御装置
【図１】
2006250381.tif 000003
【図２】
2006250381.tif 000004
【図３】
2006250381.tif 000005